(57)【要約】  本発明の一側面による掃除機のノズルは、ハウジングと、前記ハウジングに収容され、回転動作によって掃除対象面を掃除する回転掃除部と、前記回転掃除部の一側に挿入されて、前記回転掃除部を回転させるための駆動部とを含み、前記駆動部は、駆動力を発生するモータと、前記ハウジングに固定され、前記モータが結合されるモータサポータと、前記モータの回転軸と連結されて駆動力を伝達するギア部と、前記ギア部及び前記回転掃除部に連結され、前記回転掃除部に回転力を伝達するシャフトとを含み、前記モータには、PCB(printed circuit board)が設置され、前記モータサポータと離隔するPCB設置部が備えられ、前記モータサポータと前記PCB設置部との間には、空気が流動する第１空間部が形成される。  【選択図】図１
2019505328.tif 000002
【特許請求の範囲】
【請求項１】
掃除機のノズルであって、
ハウジングと、
前記ハウジングに収容され、回転動作によって掃除対象面を掃除する回転掃除部と、
前記回転掃除部の一側に挿入されて、前記回転掃除部を回転させるための駆動部と、を備えてなり、
前記駆動部は、
駆動力を発生するモータと、
前記ハウジングに固定され、前記モータが結合されるモータサポータと、
前記モータの回転軸と連結されて駆動力を伝達するギア部と、
前記ギア部及び前記回転掃除部に連結され、前記回転掃除部に回転力を伝達するシャフトと、を備え、
前記モータには、ＰＣＢ（ｐｒｉｎｔｅｄ  ｃｉｒｃｕｉｔ  ｂｏａｒｄ）が設置され、前記モータサポータと離隔するＰＣＢ設置部が備えられ、
前記モータサポータと前記ＰＣＢ設置部との間には、空気が流動する第１空間部が形成される、掃除機のノズル。
【請求項２】
前記第１空間部を形成するために、前記モータサポータには一側に陥没する陥没部が備えられる、請求項１に記載の掃除機のノズル。
【請求項３】
前記ハウジングは、前記回転掃除部が収容され、前記モータサポータが固定される本体部と、前記本体部に結合されて前記駆動部の少なくとも一部をカバーする側面カバーと、を備え、
前記モータサポータは、前記モータと前記側面カバーとの間に配置される、請求項１に記載の掃除機のノズル。
【請求項４】
前記モータサポータと前記側面カバーとの間には、空気が流動する第２空間部が形成される、請求項３に記載の掃除機のノズル。
【請求項５】
前記第１空間部と前記第２空間部が連通するように、前記モータサポータは、少なくとも一部分においてハウジングの本体部と離隔することを特徴とする、請求項４に記載の掃除機のノズル。
【請求項６】
前記ハウジングと前記側面カバーとの間には、外部の空気が前記第２空間部に流入するように、所定間隔離隔する間隔部が形成される、請求項５に記載の掃除機のノズル。
【請求項７】
前記モータサポータには、前記ハウジングの本体部とボルト締結されるための第１締結ホールが形成される、請求項３に記載の掃除機のノズル。
【請求項８】
前記モータには、前記第１締結ホールと整列する前記第２締結ホールが形成され、
前記ギア部には、前記第１及び第２締結ホールと整列する第３締結ホールが形成され、
前記第１〜第３締結ホールを同時に貫通して、前記ハウジングの本体部に固定される締結部材をさらに備えてなる、請求項７に記載の掃除機のノズル。
【請求項９】
前記モータサポータは、ポリカーボネート（ｐｏｌｙｃａｒｂｏｎａｔｅ）材質からなることを特徴とする、請求項１に記載の掃除機のノズル。
【請求項１０】
前記ギア部の外周面には、前記モータに汚染物質が流入することを防止するために、前記ギア部の少なくとも一部を取囲むカバー部材が備えられる、請求項１に記載の掃除機のノズル。
【請求項１１】
前記カバー部材には、ベアリングが結合されるベアリング設置部が備えられる、請求項１０に記載の掃除機のノズル。
【請求項１２】
前記回転掃除部には、前記シャフトが結合される結合部材が備えられる、請求項１１に記載の掃除機のノズル。
【請求項１３】
前記結合部材の内周面には、前記ベアリングが支持される、請求項１２に記載の掃除機のノズル。
【請求項１４】
前記回転掃除部の他側に挿入されて、前記回転掃除部を支持する回転支持部をさらに備えてなる、請求項１に記載の掃除機のノズル。
【発明の詳細な説明】
【技術分野】
【０００１】
本発明は、掃除機のノズルに関するものである。
【背景技術】
【０００２】
一般的に、真空掃除機は、掃除機本体内部に装着される吸入モータによって発生する吸入力を利用して、埃が含まれた空気を吸入した後、埃分離装置で埃をフィルタリングする装置である。このような真空掃除機は、埃を吸入するための吸入ノズルが本体とは別途に備えられて、連結装置によって連結されるキャニスター型掃除機と、吸入ノズルが本体と回転可能に連結されるアップライト型掃除機と、使用者が本体を手で把持した状態で使用されるハンディ型掃除機とに区別することができる。
【０００３】
従来の真空掃除機の吸入ノズルには、ブラシが付着された回転ブラシであるアジテーター(agitator)が設置され、前記アジテーターが回転して床面またはカーペットの中の埃をかき出しながら掃除することができる。
【０００４】
先行文献である韓国公開特許公報第１０‐２０１４‐０１２３０９１号には、真空掃除機用掃除機ヘッドが開示される。
【０００５】
先行文献の掃除機ヘッドは、チャンバー内に備えられるブラシバーと、ブラシバーを駆動するためのモータを含む。前記モータは、ブラシバーを回転させ、ブラシバーが回転する過程でブラシバーが被掃除面を打撃する。従って、ブラシバーを「回転掃除部」と名付けることができる。前記モータは、ブラシバー内部に挿入される。
【０００６】
一方、先行文献の掃除機ヘッドは、掃除する時に床面と接触及び摩擦し、これによって、静電気が発生することになる。このような静電気がブラシバー及びこれに収容されたモータに伝達され、これによって、モータを制御するPCB(printed circuit board)が損傷する問題がある。
【０００７】
また、先行文献の掃除機ヘッドは、モータがブラシバーに収容される構造であるので、モータの放熱が不充分である問題がある。
【発明の概要】
【発明が解決しようとする課題】
【０００８】
本発明が解決しようとする課題は、回転掃除部を駆動するためのモータのPCBに静電気が到達することが防止される掃除機のノズルを提供することにある。
【０００９】
本発明の別の課題は、回転掃除部を駆動するための駆動部を効果的に冷却できる掃除機のノズルを提供することにある。
【００１０】
本発明の別の課題は、回転掃除部を駆動するための駆動部で発生する振動が低減される掃除機のノズルを提供することにある。
【課題を解決するための手段】
【００１１】
本発明の一側面による掃除機のノズルは、回転掃除部と、駆動部とを含み、前記駆動部は、モータと、モータサポータとを含み、前記モータにはPCB(printed circuit board)が設置され、前記モータサポータと離隔するPCB設置部が備えられ、前記モータサポータと前記PCB設置部との間には、空気が流動する第１空間部が形成される。
【００１２】
また、前記モータサポータと前記側面カバーとの間には、空気が流動する第２空間部が形成される。
【００１３】
また、前記第１空間部と前記第２空間部が連通するように、前記モータサポータは、少なくとも一部分においてハウジングの本体部と離隔する。
【００１４】
また、前記モータサポータには、前記ハウジングの本体部とボルト締結されるための第１締結ホールが形成され、前記モータには、前記第１締結ホールと整列する前記第２締結ホールが形成され、前記ギア部には、前記第１及び第２締結ホールと整列する第３締結ホールが形成され、前記掃除機のノズルは、前記第１〜第３締結ホールを同時に貫通して、前記ハウジングの本体部に固定される締結部材をさらに含むことができる。
【発明の効果】
【００１５】
本発明によれば、モータが装着されるモータサポータに陥没部を形成して、モータのPCBとモータサポータとの間が離隔するようにすることで、掃除機のノズルで発生した静電気がモータのPCBに伝達されることなく、自然放電されるようにすることができる。これによって、モータのPCBが破損することを防止することができる。
【００１６】
また、本発明の掃除機のノズルは、モータサポータとハウジングのカバーとの間に空間部を形成することで、外部で発生した静電気がモータサポータに伝達されることなく、自然放電されるようにすることができる。これによって、モータのPCBが破損することを防止することができる。
【００１７】
また、本発明の掃除機のノズルは、モータとモータサポータとの間の空間部とモータサポータとハウジングのカバーとの間の空間部をそれぞれ形成することで、駆動部を冷却させるための冷却流路を形成することができる。
【００１８】
また、本発明の掃除機のノズルは、モータサポータと、モータ及びギア部を一体で締結することで、モータ及びギア部など駆動部で発生する振動を低減させることができる。
【図面の簡単な説明】
【００１９】
【図１】本発明の一実施例に係る真空掃除機の斜視図である。
【図２】図１の吸入ノズルの斜視図である。
【図３】図２の吸入ノズルの平面図である。
【図４】図１の吸入ノズルの側面図である。
【図５】図１の吸入ノズルの正面図である。
【図６】図５の吸入ノズルから回転掃除部が脱去された様子を示す図面である。
【図７】図１の吸入ノズルの底面図である。
【図８】図１の吸入ノズルの分解斜視図である。
【図９】ハウジングの分解斜視図である。
【図１０】図７のＩ‐Ｉ’線吸入ノズルの断面図である。
【図１１】図７のＩＩ‐ＩＩ’線断面図である。
【図１２】吸入ノズルの第１側面カバーが除去された様子を示す図面である。
【図１３】駆動部の分解斜視図である。
【図１４】回転掃除部の回転軸に沿って切開した断面図である。
【発明を実施するための形態】
【００２０】
以下、本発明の一部実施例を例示的な図面を参照して詳細に説明する。各図面において、同じ構成要素に対しては同じ符号を付する。また、本発明の実施例の説明において、係る公知構成または機能に対する具体的な説明が、本発明の実施例の理解を妨害すると判断される場合には、その詳細な説明は省略する。
【００２１】
また、本発明の実施例の構成要素の説明において、第１、第２、Ａ、Ｂ、(ａ)、(ｂ)等の用語を用いることができる。このような用語は、その構成要素を他の構成要素と区別するためのものであり、その用語によって当該構成要素の本質または順序などが限定されるものではない。ある構成要素が他の構成要素に「連結」、「結合」または「接続」されると記載された場合、その構成要素は他の構成要素に直接的に連結または接続される場合と、各構成要素の間にさらに他の構成要素が「連結」、「結合」または「接続」される場合を全て含む。
【００２２】
図１は本発明の一実施例に係る真空掃除機の斜視図である。
【００２３】
図１を参照すると、本発明の一実施例に係る真空掃除機１は、吸入力を発生させるための吸入モータ(図示されない)を備える掃除機本体１０と、埃が含まれた空気を吸入する吸入ノズル１００と、前記掃除機本体１０と前記吸入ノズル１００を連結する延長管１７を含むことができる。
【００２４】
一方、図示されていないが、前記吸入ノズル１００は、前記延長管１７がなくとも前記掃除機本体１０に直接連結され得る。
【００２５】
前記掃除機本体１０は、空気から分離された埃が貯蔵されるダストボックス１２を含むことができる。これによって、前記吸入ノズル１００を通じて流入する埃は、前記延長管１７を通じて前記ダストボックス１２に貯蔵される。
【００２６】
前記掃除機本体１０には、使用者が把持するためのハンドル１３が備えられる。使用者は、前記ハンドル１３を把持した状態で掃除を行うことができる。
【００２７】
前記掃除機本体１０には、バッテリー(図示されない)が備えられ、前記バッテリー(図示されない)が収容されるバッテリー収容部１５が備えられる。前記バッテリー収容部１５は、前記ハンドル１３の下部に備えられる。前記バッテリー(図示されない)は、前記吸入ノズル１００と連結されて前記吸入ノズル１００に電源を供給することができる。
【００２８】
以下では、前記吸入ノズル１００に対して詳細に説明する。
【００２９】
図２は図１の吸入ノズルの斜視図であり、図３は図２の吸入ノズルの平面図であり、図４は図１の吸入ノズルの側面図であり、図５は図１の吸入ノズルの正面図であり、図６は図５の吸入ノズルから回転掃除部が脱去された様子を示す図面であり、図７は図１の吸入ノズルの底面図であり、図８は図１の吸入ノズルの分解斜視図であり、図９はハウジングの分解斜視図であり、図１０は図７のＩ‐Ｉ’線吸入ノズルの断面図であり、図１１は図７のＩＩ‐ＩＩ’線断面図である。
【００３０】
図２〜図１１を参照すると、前記吸入ノズル１００は、ハウジング１１０、連結配管１２０と、回転掃除部１３０を含む。
【００３１】
前記ハウジング１１０は、内部にチャンバー１１２が形成される本体部１１１を含む。前記本体部１１１には、汚染物質が含まれた空気を吸入するための前方開口１１１ａが形成される。前記掃除機本体１０で発生する吸入力によって前記前方開口１１１ａを通じて流入する空気は、前記チャンバー１１２を経て前記連結配管１２０に移動することができる。
【００３２】
前記前方開口１１１ａは、前記ハウジング１１０の左右方向に延長されて形成され、前記ハウジング１１０の底面部だけでなく前記ハウジング１１０の前方部まで延長されて形成される。これによって、吸入面積が充分に確保されるので、床面から壁面に隣接した部分までまんべんなく掃除することができる。
【００３３】
前記ハウジング１１０は、前記前方開口１１１ａと連通する内部配管１１１２をさらに含むことができる。前記掃除機本体１０で発生した吸入力によって、外部の空気は、前記前方開口１１１ａを経て前記内部配管１１１２の内部流路１１１２ａに移動することができる。
【００３４】
前記ハウジング１１０は、前記回転掃除部１３０を回転させるための動力を提供する駆動部１４０をさらに含むことができる。前記駆動部１４０は、前記回転掃除部１３０の一側に挿入されて、前記回転掃除部１３０に動力を伝達することができる。前記駆動部１４０に対しては、図１２以下で詳細に説明する。
【００３５】
前記本体部１１１のチャンバー１１２には、前記回転掃除部１３０が収容される。前記回転掃除部１３０の少なくとも一部分は、前記前方開口１１１ａを介して外部に露出される。前記回転掃除部１３０は、前記駆動部１４０を通じて伝達される駆動力によって回転して掃除対象面と摩擦することで、汚染物質を払いのけることができる。また、前記回転掃除部１３０の外周面は絨のような織物またはフェルト(felt)材質からなることができる。これによって、前記回転掃除部１３０の回転時に掃除対象面に積もった埃などの異質物が前記回転掃除部１３０の外周面に挟まり効果的に除去される。
【００３６】
前記本体部１１１は、前記回転掃除部１３０の上側の少なくとも一部をカバーすることができる。また、前記本体部１１１の内周面は、前記回転掃除部１３０の外周面の形状に対応するように湾曲した形状を有することができる。これによって、前記本体部１１１は、前記回転掃除部１３０が回転して掃除対象面から払いのけた異質物が上昇することを防ぐ機能をすることができる。
【００３７】
前記ハウジング１１０は、前記チャンバー１１２の両側面をカバーする側面カバー１１５、１１６をさらに含むことができる。前記側面カバー１１５、１１６は、前記回転掃除部１３０の両側面に備えられる。
【００３８】
前記側面カバー１１５、１１６は、前記回転掃除部１３０の一側に備えられる第１側面カバー１１５と、前記回転掃除部１３０の他側に備えられる第２側面カバー１１６を含む。前記第１側面カバー１１５には、前記駆動部１４０が固定される。
【００３９】
前記吸入ノズル１００は、前記第２側面カバー１１６に備えられ、前記回転掃除部１３０を回転可能に支持するための回転支持部１５０をさらに含む。前記回転支持部１５０は、前記回転掃除部１３０の他側に挿入されて、前記回転掃除部１３０を回転可能に支持することができる。
【００４０】
前記回転掃除部１３０は、図１０の断面図を基準とするとき、反時計回りに回転することができる。即ち、前記回転掃除部１３０は、掃除対象面との接触点で前記内部配管１１１２方向に押し出すように回転する。よって、前記回転掃除部１３０が掃除対象面から払いのけた異質物は、前記内部配管１１１２側に移動し、吸入力によって前記内部配管１１１２に吸入される。前記回転掃除部１３０が掃除対象面との接触点を基準に後方に回転することで、掃除効率が向上する。
【００４１】
前記チャンバー１１２には区画部材１６０が備えられる。前記区画部材１６０は、前記ハウジング１１０のチャンバーの上側から下側に延長されて形成される。
【００４２】
前記区画部材１６０は、前記回転掃除部１３０と前記内部配管１１１２との間に備えられる。これによって、前記区画部材１６０は、前記ハウジング１１０のチャンバーを、前記回転掃除部１３０が備えられる第１領域１１２ａと前記内部配管１１１２が備えられる第２領域１１２ｂとに区画することができる。図１０に示されたように、前記第１領域１１２ａは前記チャンバー２１２の前方部に備えられ、前記第２領域１１２ｂは前記チャンバー２１２の後方部に備えられる。
【００４３】
前記区画部材１６０は、第１延長壁１６１を含むことができる。前記第１延長壁１６１は、前記回転掃除部１３０と少なくとも一部分が接触するように延長される。よって、前記回転掃除部１３０が回転すると、前記第１延長壁１６１は、前記回転掃除部１３０と摩擦して前記回転掃除部１３０に付着した異質物を払いのけることができる。
【００４４】
また、前記第１延長壁１６１は、前記回転掃除部１３０の回転軸に沿って延長される。即ち、前記第１延長壁１６１と前記回転掃除部１３０との間の接触地点は、前記回転掃除部１３０の回転軸方向に沿って形成される。よって、前記第１延長壁１６１は、前記回転掃除部１３０に付着した異質物を払いのけるだけでなく、掃除対象面の異質物が前記チャンバー１１２の第１領域１１２ａに流入することを遮断することができる。異質物が前記チャンバー１１２の第１領域１１２ａに流入することを遮断することで、前記回転掃除部１３０の回転によって異質物が前記前方開口１１１ａを通じて前記ハウジング１１０の前方に排出される現象を防止することができる。
【００４５】
さらに、前記第１延長壁１６１は、前記回転掃除部１３０に付着した髪の毛や糸などが前記チャンバー１１２の第１領域１１２ａに流入することを遮断することで、前記回転掃除部１３０に髪の毛や糸などが巻きつく現象を防止することができる。即ち、前記第１延長壁１６１は、巻きつき防止(anti‐tangle)機能をすることができる。
【００４６】
前記区画部材１６０は、第２延長壁１６５をさらに含むことができる。前記第２延長壁１６５は、前記第１延長壁１６１と同様に、前記回転掃除部１３０と少なくとも一部分が接触するように延長される。よって、前記回転掃除部１３０が回転すると、前記第２延長壁１６５は、前記第１延長壁１６１と一緒に前記回転掃除部１３０と摩擦して前記回転掃除部１３０に付着した異質物を払いのけることができる。一方、前記第２延長壁１６５は、前記第１延長壁１６１と同じ機能を有する構成であり、前記第２延長壁１６１なしに前記第１延長壁１６１だけでも前記回転掃除部１３０に付着した異質物を払いのける機能をすることができるので、前記第２延長壁１６５が前記ハウジング１１０の構成に含まれなくてもよい。
【００４７】
前記第２延長壁１６５は、前記第１延長壁１６１よりも上側に配置される。よって、前記第２延長壁１６５は、前記回転掃除部１３０で前記第１延長壁１６１によって分離できなかった異質物を２次的に分離する機能を有する。
【００４８】
以下では、前記ハウジング１１０の内部での空気の流動に対して説明する。
【００４９】
前記吸入ノズル１００の本体部１１１には、外部の空気が前記本体部１１１の内部配管に移動する複数の吸入流路Ｆ１、Ｆ２、Ｆ３が形成される。
【００５０】
前記複数の吸入流路Ｆ１、Ｆ２、Ｆ３は、前記回転掃除部１３０の下側に形成される下部流路Ｆ１と、前記回転掃除部１３０の上側に形成される上部流路Ｆ２、Ｆ３を含む。
【００５１】
前記下部流路Ｆ１は、前記回転掃除部１３０の下側に形成される。具体的に、前記下部流路Ｆ１は、前記前方開口１１１ａから前記回転掃除部１３０の下側及び前記第２領域１１２ｂを経て前記内部流路１１１２ａに連結される。
【００５２】
前記上部流路Ｆ２、Ｆ３は、前記回転掃除部１３０の上側に形成される。具体的に、前記上部流路Ｆ２、Ｆ３は、前記第１領域１１２ａ内で、前記回転掃除部１３０の上側及び前記第２領域１１２ｂを経て前記内部流路１１１２ａに連結される。よって、前記上部流路Ｆ２、Ｆ３は、前記第２領域１１２ｂで前記下部流路Ｆ１と合流することができる。
【００５３】
前記上部流路Ｆ２、Ｆ３は、前記ハウジング１１０の一側に形成される第１上部流路Ｆ２と、前記ハウジング１１０の他側に形成される第２上部流路Ｆ３を含む。具体的に、前記第１上部流路Ｆ２は、前記第１側面カバー１１５に隣接するように配置され、前記第２上部流路Ｆ３は、前記第２側面カバー１１６に隣接するように配置される。
【００５４】
前記第１上部流路Ｆ２を形成するために、前記第１延長壁１６１には第１下部溝部１６１ａが形成され、前記第２延長壁１６５には第１上部溝部１６５ａが形成される。
【００５５】
前記第１下部溝部１６１ａは、前記第１延長壁１６１の内周面、即ち前記回転掃除部１３０と当接する面の一部が陥没して形成される。また、前記第１下部溝部１６１ａは、前記回転掃除部１３０の円周方向に沿って延長されて形成される。
【００５６】
前記第１上部溝部１６５ａは、前記第２延長壁１６５の内周面、即ち前記回転掃除部１３０と当接する面の一部が陥没して形成される。また、前記第１上部溝部１６５ａは、前記回転掃除部１３０の円周方向に沿って延長されて形成される。
【００５７】
前記第１下部溝部１６１ａは、前記第１上部溝部１６５ａと連結され、前記第１下部溝部１６１ａと前記第１上部溝部１６５ａに沿って前記第１上部流路Ｆ２が形成される。一方、前記吸入ノズル１００に前記第２延長壁１６５が備えられない場合には、前記第１下部溝部１６１ａのみでも前記第１上部流路Ｆ２が形成される。
【００５８】
また、前記第１下部溝部１６１ａと前記第１上部溝部１６５ａは、前記駆動部１４０を取囲むように形成される。これによって、前記第１上部流路Ｆ２が前記駆動部１４０の周りに沿って、前記駆動部１４０の少なくとも一部を取囲むように形成され、前記駆動部１４０は前記第１上部流路Ｆ２に沿って流動する空気によって冷却される。
【００５９】
前記第１下部溝部１６１ａと前記第１上部溝部１６５ａの左右方向の幅Ａは、図示されたように相互同一幅を有することができるが、このような特徴に制限されるものではない。前記第１下部溝部１６１ａと前記第１上部溝部１６５ａの左右方向の幅Ａは、所定の大きさを有することができる。前記左右方向の幅Ａが小さい場合には、前記第１上部流路Ｆ２の幅が狭くなり、空気の流動量が小さくなるか、空気の流動が遮断されることがあるので、前記駆動部１４０の冷却性能が微小となる。反面、前記左右方向の幅Ａが大きい場合には、前記第１上部流路Ｆ２の幅が大きくなるので空気の流動量が増加するが、前記第１延長壁１６１及び前記第２延長壁１６５による前記回転掃除部１３０の髪の毛などの巻きつき防止(anti‐tangle)機能が低下する。よって、前記左右方向の幅Ａは、適正大きさで形成されることが好ましく、前記駆動部の長さより小さい幅を有するように形成されることが好ましい。一例として、前記第１上部溝部１６５ａの左右方向の幅Ａは５〜１０mmに形成されるが、このような事項に制限されるものではない。
【００６０】
図１１に示されたように、前記第１上部流路Ｆ２において、前記チャンバー１１２の内周面と前記回転掃除部１３０の上側部との間の離隔距離は、前記チャンバー１１２の内側に行くほど狭くなる。具体的に、前記チャンバー１１２の内周面と前記回転掃除部１３０の上側部との間の離隔距離は、前記前方開口１１１ａ側でｄ１、前記第１上部溝部１６５ａでｄ２、前記第１下部溝部１６１ａでｄ３に形成される。前記ｄ１からｄ３に行くほど小さい値を有する(ｄ１>ｄ２>ｄ３)。一例として、ｄ１は３mm、ｄ２は２.７mm、ｄ３は２mmに形成される。このような特徴によって、前記回転掃除部１３０の上側では、前記前方開口１１１ａに隣接するほど空気の流速が減少し、これによって前記回転掃除部１３０の回転によって異質物が前方に排出される現象が抑制される。
【００６１】
次に、前記第２上部流路Ｆ３に対して説明する。前記第２上部流路Ｆ３を形成するために、前記第１延長壁１６１には第２下部溝部１６１ｂが形成され、前記第２延長壁１６５には第２上部溝部１６５ｂが形成される。
【００６２】
前記第２下部溝部１６１ｂは、前記第１延長壁１６１の内周面、即ち前記回転掃除部１３０と当接する面で前記第２側面カバー１１６に隣接した位置に形成される。前記第２下部溝部１６１ｂは、形成される位置において前記第１下部溝部１６１ａと差があり、残りの構成は実質的に同一である。
【００６３】
前記第２上部溝部１６５ｂは、前記第２延長壁１６５の内周面、即ち前記回転掃除部１３０と当接する面で前記第２側面カバー１１６に隣接した位置に形成される。前記第２上部溝部１６５ｂは、前記第２下部溝部１６１ｂと連結され、前記第２下部溝部１６１ｂと前記第２上部溝部１６５ｂに沿って前記第２上部流路Ｆ３が形成される。一方、前記吸入ノズル１００に前記第２延長壁１６５が備えられない場合には、前記第２下部溝部１６１ｂのみでも前記第２上部流路Ｆ３が形成される。
【００６４】
また、前記第２下部溝部１６１ｂと前記第２上部溝部１６５ｂは、前記回転支持部１５０を取囲むように形成される。これによって、前記第２上部流路Ｆ３が前記回転支持部１５０の周りに沿って形成され、前記回転支持部１５０は、前記第２上部流路Ｆ３に沿って流動する空気によって冷却される。
【００６５】
前記第２下部溝部１６１ｂと前記第２上部溝部１６５ｂの左右方向の幅Ａは、図示されたように相互同一幅を有することができるが、このような特徴に制限されるものではない。前記第２下部溝部１６１ｂの左右方向の幅Ａと前記第２上部溝部１６５ｂの左右方向の幅Ａは、前記第１下部溝部１６１ａと前記第１上部溝部１６５ａの左右方向の幅Ａと同じ幅を有することができる。
【００６６】
前記第２上部流路Ｆ３において、前記チャンバー１１２の内周面と前記回転掃除部１３０の上側部との間の離隔距離は、前記第１上部流路Ｆ２と同様に、前記チャンバー１１２の内側に行くほど狭くなる。これに対する具体的な説明は省略する。
【００６７】
前記区画部材１６０は、前記第１延長壁１６１と結合する第３延長壁１６３をさらに含むことができる。前記第１延長壁１６１の背面に結合されて、前記第１延長壁１６１を支持することができる。前記第１延長壁１６１に前記第１下部溝部１６１ａ及び前記第２下部溝部１６１ｂが形成されることで、前記チャンバー１１２の第１領域１１２ａに前記第３延長壁１６３の一部が露出される。
【００６８】
このように、前記ハウジング１１０には、前記回転掃除部１３０の下側に備えられる下部流路Ｆ１だけでなく、前記回転掃除部１３０の上側に備えられる第１上部流路Ｆ２が備えられることで、前記駆動部１４０の冷却が効率的に行われ、前記第２上部流路Ｆ３が備えられることで、前記回転支持部１５０の冷却が効率的に行われる。
【００６９】
前記連結配管１２０は、前記ハウジング１１０と前記延長管１７(図１参照)を連結することができる。即ち、前記連結配管１２０の一側は、前記ハウジング１１０と連結され、前記連結配管１２０の他側は、前記延長管１７と連結される。
【００７０】
前記連結配管１２０には、前記延長管１７との機構的な結合を操作するための脱着ボタン１２２が備えられる。使用者は、前記脱着ボタン１２２を操作することで、前記連結配管１２０と前記延長管１７を結合または分離することができる。
【００７１】
前記連結配管１２０は、前記ハウジング１１０に回転可能に連結される。具体的に、前記連結配管１２０は、前記第１連結部材１１３ａに上下方向に回転可能にヒンジ(hinge)結合される。
【００７２】
前記ハウジング１１０には、前記連結配管１２０とヒンジ結合するための連結部材１１３ａ、１１３ｂが備えられる。前記連結部材１１３ａ、１１３ｂは、前記内部配管１１１２を取囲むように形成される。前記連結部材１１３ａ、１１３ｂは、前記連結配管１２０と直接連結される第１連結部材１１３ａと第２連結部材１１３ｂを含むことができる。前記第２連結部材１１３ｂの一側は、前記第１連結部材１１３ａと結合され、前記第２連結部材１１３ｂの他側は、前記本体部１１１と結合される。
【００７３】
図８に示されたように、前記第１連結部材１１３ａにはヒンジホール１１４が備えられ、前記連結配管１２０には、前記ヒンジホール１１４に挿入されるヒンジ軸１２４が備えられる。ただし、図示されたものとは違うように、前記連結配管１２０にヒンジホールが形成され、前記第１連結部材１１３ａにヒンジ軸が形成されてもよい。前記ヒンジホール１１４と前記ヒンジ軸１２４を通称して「ヒンジ部」と名付けることができる。
【００７４】
前記ヒンジ軸１２４の中心１２４ａは、前記第１連結部材１１３ａの中心軸Ｃよりも上側に配置される。これによって、前記連結配管１２０の回転中心は、前記第１連結部材１１３ａの中心軸Ｃよりも上側に形成される。
【００７５】
前記第１連結部材１１３ａは、前記第２連結部材１１３ｂに回転可能に連結される。具体的に、前記第１連結部材１１３ａは、長さ方向を軸にして回転することができる。
【００７６】
前記吸入ノズル１００は、前記連結配管１２０と前記ハウジング１１０の内部配管１１１２を連結する補助ホース１２３をさらに含むことができる。これによって、前記ハウジング１１０に吸入された空気は、前記補助ホース１２３、前記連結配管１２０及び前記延長管１７(図１参照)を経て前記掃除機本体１０(図１参照)に移動することができる。
【００７７】
前記連結配管１２０が回動ができるように、前記補助ホース１２３は柔軟な材質からなることができる。また、前記第１連結部材１１３ａは、前記補助ホース１２３を保護するために、少なくとも一部分を取囲む形状を有することができる。
【００７８】
前記吸入ノズル１００は、掃除時に移動するための前方輪１１７ａ、１１７ｂをさらに含むことができる。前記前方輪１１７ａ、１１７ｂは、前記ハウジング１１０の底面に回転可能に備えられる。また、前記前方輪１１７ａ、１１７ｂは、一対備えられ、前記前方開口１１１ａの両側にそれぞれ備えられ、前記前方開口１１１ａの後方に配置される。
【００７９】
前記吸入ノズル１００は、後方輪１１８をさらに含むことができる。前記後方輪１１８は、前記ハウジング１１０の底面に回転可能に備えられ、前記前方輪１１７ａ、１１７ｂよりも後方に配置される。
【００８０】
前記ハウジング１１０は、前記本体部１１１の下側に備えられる支持部材１１９をさらに含むことができる。前記支持部材１１９は、前記本体部１１１を支持することができる。前記支持部材１１９には、前記前方輪１１７ａ、１１７ｂが回転可能に結合される。
【００８１】
前記支持部材１１９には、後方に延長される延長部１１９２が備えられる。前記延長部１１９２には、前記後方輪１１８が回転可能に結合される。また、前記延長部１１９２は、前記第１連結部材１１３ａ及び前記第２連結部材１１３ｂを下側で支持することができる。
【００８２】
前記後方輪１１８の回転軸１１８ａは、前記ヒンジ軸１２４の中心１２４ａよりも後方に配置される。これによって、前記ハウジング１１０の安定性が向上するので、掃除中前記ハウジング１１０の転覆が防止される。
【００８３】
以下では、前記駆動部１４０の細部構成に対して説明する。
【００８４】
図１２は吸入ノズルの第１側面カバーが除去された様子を示す図面であり、図１３は駆動ユニットの分解斜視図であり、図１４は回転掃除部の回転軸に沿って切開した断面図である。
【００８５】
図１２〜図１４を参照すると、前記ハウジング１１０の本体部１１１には、前記回転掃除部１３０を回転させるための駆動部１４０が結合される。前記回転掃除部１３０は、前記駆動部１４０との結合のための結合部材１３５を含むことができる。
【００８６】
前記結合部材１３５は、前記回転掃除部１３０の一側に備えられる。具体的に、前記結合部材１３５は、少なくとも一部分が前記回転掃除部１３０の内側に挿入され、前記回転掃除部１３０の一端部に固定される。
【００８７】
前記駆動部１４０の少なくとも一部は、前記回転掃除部１３０の一側に挿入される。具体的に、前記駆動部１４０の少なくとも一部は、前記結合部材１３５に挿入されて固定される。よって、前記駆動部１４０を設置するための別途の空間が不必要な利点がある。
【００８８】
前記駆動部１４０は、駆動力を発生させるためのモータ１４３と、モータサポータ１４１を含む。前記モータ１４３は、BLDCモータを含むことができる。
【００８９】
前記モータ１４３の一側には、前記モータ１４３を制御するためのPCB(printed circuit board)が設置されるPCB設置部１４３２が備えられる。図示されていないが、前記PCB設置部１４３２にはPCBが内蔵されるか、前記PCB設置部１４３２の一面または他面に付着される。
【００９０】
前記モータ１４３は、ボルトなどの締結部材によって前記モータサポータ１４１に結合される。前記モータ１４３には、前記モータサポータ１４１とボルト締結するための締結ホール１４３４が形成される。
【００９１】
前記駆動部１４０は、前記モータ１４３の動力を伝達するためのギア部１４５をさらに含むことができる。
【００９２】
前記モータ１４３は、前記ギア部１４５と結合される。前記ギア部１４５には、前記モータ１４３が挿入される中空が形成される。前記ギア部１４５は、前記モータサポータ１４１にボルト結合され、このために前記ギア部１４５の一側には締結ホール１４５４が形成される。
【００９３】
前記モータ１４３と前記ギア部１４５は、前記モータサポータ１４１に締結される。このために、前記モータサポータ１４１にも締結ホール１４１４が形成される。前記モータサポータ１４１に備えられた締結ホール１４１４を第１締結ホール１４１４と名付け、前記モータ１４３に備えられた締結ホール１４３４を第２締結ホール１４３４と名付け、前記ギア部１４５に備えられた締結ホール１４５４を第３締結ホール１４５４と名付ける。
【００９４】
前記第１締結ホール１４１４と前記第２締結ホール１４３４と前記第３締結ホール１４５４が整列した状態で、ボルトなどの締結部材１４２が貫通することで、前記モータサポータ１４１と前記モータ１４３及び前記ギア部１４５が相互結合される。
【００９５】
前記ハウジング１１０の本体部１１１には、前記締結部材１４２が結合される締結ホール１１１４が形成される。これによって、前記モータサポータ１４１と前記モータ１４３及び前記ギア部１４５は、前記本体部１１１に固定される。このように、前記モータサポータ１４１と前記モータ１４３及び前記ギア部１４５が前記本体部１１１と一体化されることで、前記モータ１４３の動作時に発生する振動を緩和することができる。
【００９６】
前記駆動部１４０は、前記ギア部１４５を取囲むカバー部材１４７をさらに含むことができる。前記カバー部材１４７は、前記ギア部１４５を保護する機能を有する。
【００９７】
前記駆動部１４０は、前記ギア部１４５に連結されるシャフト１４８をさらに含み、前記シャフト１４８は、前記回転掃除部１３０と連結される。具体的に、前記シャフト１４８は、前記結合部材１３５に固定される。
【００９８】
このために、前記シャフト１４８には、前記回転掃除部１３０の結合部材１３５に固定される固定部１４８２が備えられる。前記固定部１４８２によって、前記シャフト１４８は前記結合部材１３５に固定され、前記シャフト１４８の回転によって前記回転掃除部１３０が一緒に回転することができる。よって、前記シャフト１４８は、前記モータ１４３及び前記ギア部１４５から伝達される駆動力を前記回転掃除部１３０に伝達することができる。
【００９９】
前記駆動部１４０は、前記カバー部材１４７に設置されるベアリング１４９をさらに含むことができる。前記カバー部材１４７は、前記ギア部１４５を取囲む本体１４７１と前記ベアリング１４９が設置されるベアリング設置部１４７３が備えられる。図示されたように、前記ベアリング設置部１４７３は、前記カバー部材１４７の本体１４７１より狭い直径で形成される。
【０１００】
前記ベアリング１４９は、前記カバー部材１４７の外周面と前記結合部材１３５の内周面との間に配置される。これによって、前記ベアリング１４９は、前記回転掃除部１３０を一定位置に固定させ、前記回転掃除部１３０の自重と前記回転掃除部１３０にかかる荷重を支持することができる。これによって、前記回転掃除部１３０が円滑に回転することができる。
【０１０１】
前記モータサポータ１４１は、ポリカーボネート(polycarbonate)材質からなることができる。ポリカーボネート材質は、絶縁性及び耐衝撃性が大きい特徴がある。よって、前記モータサポータ１４１は外部の衝撃に強く、前記吸入ノズル１００と掃除対象面との摩擦によって発生する静電気が前記モータ１４３に伝達されることを遮断することができる。
【０１０２】
前記モータサポータ１４１と前記モータ１４３のPCB設置部１４３２との間は所定間隔ｄとなる。前記モータサポータ１４１と前記PCB設置部１４３２との間の空間を第１空間部１４１５と名付けることができる。
【０１０３】
前記モータサポータ１４１には、前記第１空間部１４１５を形成するための陥没部１４１５が備えられる。前記陥没部１４１５は、前記モータサポータ１４１の内周面から外側に向かって陥没して形成される。
【０１０４】
前記第１空間部１４１５が形成されることで、前記駆動部１４０の外部で発生した静電気が前記モータサポータ１４１側に伝達される場合にも、前記モータ１４３のPCB設置部１４３２まで到達することなく自然的に放電される。これによって、前記モータ１４３のPCB設置部１４３２に設置されたPCBを保護することができる。
【０１０５】
また、前記モータサポータ１４１の外周面１４１７は、前記第１側面カバー１１５の内周面１１５３と対向するように配置され、前記第１側面カバー１１５の内周面１１５３と離隔される。前記モータサポータ１４１と前記第１側面カバー１１５との間の離隔した空間を第２空間部１１５４と名付けることができる。前記第２空間部１１５４が形成されることで、外部で発生する静電気が前記第１側面カバー１１５を通じて前記モータサポータ１４１に伝達される現象を制限することができる。
【０１０６】
即ち、前記モータ１４３のPCB設置部１４３２は、前記第１空間部１４１６と前記第２空間部１１５４によって静電気が伝達されることを二重で遮断することができる。
【０１０７】
一方、前記ハウジング１１０の本体部１１１と前記第１側面カバー１１５との間には、所定間隔で離隔する間隔部１１１５が形成される。前記間隔部１１１５を通じて前記駆動部１４０を冷却させるための外部空気が前記第２空間部１１５４に流入することができる。前記第２空間部１１５４に流入した空気は、前記モータサポータ１４１の外側を流動することができる。
【０１０８】
一方、前記モータサポータ１４１は、前記ハウジング１１０の本体部１１１と所定間隔離隔する。これによって、前記第２空間部１１５４の空気は、前記第１空間部１４１６に移動することができる。即ち、前記第１空間部１４１６と前記第２空間部１１５４には、それぞれ前記駆動部１４０を冷却するための冷却流路が形成される。これによって、前記モータ１４３及び前記ギア部１４５等前記駆動部１４０の各構成部品を冷却することができる。
【０１０９】
このように、本発明の掃除機のノズル１００は、掃除対象面との摩擦によって発生した静電気が、前記第１空間部１４１６と前記第２空間部１１５４によって自然放電されるようにすることで、前記モータ１４３のPCBが静電気によって損傷することを防止することができる。また、前記第１空間部１４１６と前記第２空間部１１５４に空気流路が形成されることで、前記駆動部１４０を効果的に冷却することができる。
【０１１０】
以上の説明は、本発明の技術思想を例示的に説明したものであり、本発明が属する技術分野で通常の知識を有した者であれば、本発明の本質的な特性を逸脱しない範囲内で多様な修正及び変形が可能である。よって、本発明に開示された実施例は、本発明の技術思想を限定するものではなく説明するためのものであり、このような実施例によって本発明の技術思想の範囲が限定されるものではない。
【図１】
2019505328.tif 000003
【図２】
2019505328.tif 000004
【図３】
2019505328.tif 000005
【図４】
2019505328.tif 000006
【図５】
2019505328.tif 000007
【図６】
2019505328.tif 000008
【図７】
2019505328.tif 000009
【図８】
2019505328.tif 000010
【図９】
2019505328.tif 000011
【図１０】
2019505328.tif 000012
【図１１】
2019505328.tif 000013
【図１２】
2019505328.tif 000014
【図１３】
2019505328.tif 000015
【図１４】
2019505328.tif 000016
【国際調査報告】
2019505328.tif 000017
2019505328.tif 000018
2019505328.tif 000019
2019505328.tif 000020